(57)【要約】【課題】型枠に振動を作用させる場合でも、フォームタイによるこの型枠の締め付け状態を安定的に確保させるようにする。【解決手段】フォームタイ１００の緩み止め具１である。頭部１０と一対の弾性脚部１１、１１とを有している。頭部１０には、フォームタイ１００を構成するナット体１０３の外郭形状に倣い、かつ、ナット体１０３を納め入れる大きさを持った貫通穴１０ａが形成してある。一対の弾性脚部１１、１１の内面１１ａ間には、フォームタイ１００を構成する挟み付け体１０２の中央部１０２ａが納まる間隔が形成してあると共に、この一対の弾性脚部１１、１１にはそれぞれ、貫通穴１０ａにナット体１０３を納め入れさせた位置で挟み付け体１０２の中央部１０２ａにおけるフォームタイ１００を構成する軸体１０１の軸一端部１０１ｃ側に向けられた縁部１０２ｆに弾発掛合される掛合爪１１ｂが形成されている。【選択図】図１
2005155280.tif 000002
【特許請求の範囲】
【請求項１】
コンクリート打ち込み型枠を構成するセパレータの端部に軸一端部をもってネジ付けられる軸体と、
この軸体の通し穴を備えた中央部を有しこの通し穴に軸体を通して軸体の軸線方向に移動可能に組み合わされると共に、中央部の両側にそれぞれバタパイプの押さえ付け部を備えた挟み付け体と、
軸体に形成された雄ネジ部にネジ付けられて挟み付け体を軸体の軸他端部側から締め込むナット体とを備えてなるフォームタイの緩み止め具であって、
頭部と一対の弾性脚部とを有していると共に、
頭部には、ナット体の外郭形状に倣った穴形状を有し、かつ、ナット体を納め入れる大きさを持った貫通穴が形成してあり、
一対の弾性脚部の内面間には、挟み付け体の中央部が納まる間隔が形成してあると共に、この一対の弾性脚部にはそれぞれ、貫通穴にナット体を納め入れさせた位置で挟み付け体の中央部における軸体の軸一端部側に向けられた縁部に弾発掛合される掛合爪が形成されていることを特徴とするフォームタイの緩み止め具。
【発明の詳細な説明】
【技術分野】
【０００１】
この発明は、コンクリートの打ち込み型枠を構成するフォームタイにおけるナット体の緩みを防止する技術に関する。
【背景技術】
【０００２】
コンクリート製の壁などを形成させるための打ち込み型枠にあっては、建て込まれた一対の型枠パネル間に亘る鋼棒状をなすセパレータに対し型枠パネルの外側においてフォームタイを接続させ、このフォームタイに備えられたナットを締め込むことでフォームタイに保持されるバタパイプを型枠パネルに止め付けられた桟木などに押し付け、型枠の締め付けをなすようにしている。
【０００３】
しかるに、この種の型枠工法にあっては、型枠内にコンクリートを行き渡らせるようにするため、コンクリートを打ち込んだ後、型枠に振動機などを用いて振動を作用させるようにしているところ、この振動の作用によって、フォームタイを構成するナットが緩み、この振動の作用時に型枠の締め付け状態が損なわれてしまうことが少なからずあった。
【発明の開示】
【発明が解決しようとする課題】
【０００４】
この発明が解決しようとする主たる問題点は、型枠に振動を作用させる場合でも、フォームタイによるこの型枠の締め付け状態を安定的に確保させるようにする点にある。
【課題を解決するための手段】
【０００５】
前記問題点を解決するために、この発明にあってはフォームタイの緩み止め具を以下の（１）〜（４）の構成を備えたものとした。
（１）コンクリート打ち込み型枠を構成するセパレータの端部に軸一端部をもってネジ付けられる軸体と、
この軸体の通し穴を備えた中央部を有しこの通し穴に軸体を通して軸体の軸線方向に移動可能に組み合わされると共に、中央部の両側にそれぞれバタパイプの押さえ付け部を備えた挟み付け体と、
軸体に形成された雄ネジ部にネジ付けられて挟み付け体を軸体の軸他端部側から締め込むナット体とを備えてなるフォームタイの緩み止め具であって、
（２）頭部と一対の弾性脚部とを有していると共に、
（３）頭部には、ナット体の外郭形状に倣った穴形状を有し、かつ、ナット体を納め入れる大きさを持った貫通穴が形成してあり、
（４）一対の弾性脚部の内面間には、挟み付け体の中央部が納まる間隔が形成してあると共に、この一対の弾性脚部にはそれぞれ、貫通穴にナット体を納め入れさせた位置で挟み付け体の中央部における軸体の軸一端部側に向けられた縁部に弾発掛合される掛合爪が形成されている。
【０００６】
フォームタイを構成するナット体を締め込んで挟み付け体をバタパイプに押し付けさせこのバタパイプを介してコンクリート打ち込み型枠を構成する型枠パネルを締め付けた後、フォームタイを構成する軸体の軸他端部側から緩み止め具の頭部の貫通穴に弾性脚部の突き出し側を先にしてこの軸体を通し、この貫通穴にナット体を入れ込ませるようにすると、一対の弾性脚部は掛合爪を挟み付け体の中央部の側面に接しさせながら外広がり状に一旦弾性変形されると共に、この掛合爪が挟み付け体の中央部における軸体の軸一端部側に向けられた縁部より前方に入り込んだ位置で弾性復帰され、挟み付け体の中央部の両側面側においてそれぞれかかる掛合爪を前記縁部に弾発掛合させる。緩み止め具の頭部に形成された貫通穴はナット体の外郭形状に倣った穴形状を有しており、かつ、緩み止め具は弾性脚部の掛合爪を前記のように挟み付け体の中央部に掛合させることから、ナット体はフォームタイを構成する軸体の軸他端部側に螺退されることはなく、ナット体の緩み出し、つまり、フォーム体によるバタパイプを介した型枠パネルの締め付け状態を、打ち込んだコンクリートを型枠内に行き渡らせるためにこの型枠に振動を作用させる間において、生じさせることがないようにできる。
【発明の効果】
【０００７】
この発明にかかる緩み止め具によれば、型枠に振動が作用された場合でも、フォームタイを構成するナット体の緩み方向への移動を確実に阻止することができ、フォームタイによるこの型枠の締め付け状態を常時安定的に確保することができる。
【発明を実施するための最良の形態】
【０００８】
以下、図１ないし図９に基づいて、この発明を実施するための最良の形態について説明する。
【０００９】
なお、ここで図１は、コンクリートの打ち込み型枠を構成するフォームタイ１００を締め込んでいない状態におけるこの型枠と緩み止め具１とを分離させた状態として示しており、また、図２ならびに図３および図９は、このフォームタイ１００を締め込んで型枠を締め付けた状態においてさらにこのフォームタイ１００に緩み止め具１を装着させた状態を示している。また、図４ないし図７は、かかる緩み止め具１をそれぞれ示しており、また、図８は、かかる緩み止め具１とフォームタイ１００の構成部品と型枠パネル３００とを分離させた状態で示している。
【００１０】
この実施の形態にかかる緩み止め具１は、コンクリートの打ち込み型枠を構成するフォームタイ１００におけるナット体１０３の緩みを防止する用途で用いられるものである。
【００１１】
かかるフォームタイ１００は、軸体１０１と、挟み付け体１０２と、ナット体１０３とを備えてなるものである。
【００１２】
軸体１０１は、コンクリート打ち込み型枠を構成するセパレータ２００の端部に軸一端部１０１ｃをもってネジ付けられるようになっている。図示の例にあっては、軸体１０１の軸一端部１０１ｃにはフランジ１０１ａが形成されていると共に、雌ネジ穴１０１ｂが形成されており、型枠パネル３００に形成されたセパレータ２００の通し穴３０１から突き出されるセパレータ２００の端部に形成された雄ネジ部２０１をこの雌ネジ穴１０１ｂにネジ付けて、前記フランジ１０１ａを型枠パネル３００の外面に押し付けるようにしてセパレータ２００に接続されるようになっている。
【００１３】
挟み付け体１０２は、前記軸体１０１の通し穴１０２ｂを備えた中央部１０２ａを有しこの通し穴１０２ｂに軸体１０１を通して軸体１０１の軸線方向に移動可能に組み合わされると共に、中央部１０２ａの両側にそれぞれバタパイプ４００の押さえ付け部１０２ｃを備えている。図示の例にあっては、挟み付け体１０２は、金属の長い板材を、その長さ方向に沿った両側に同じ向きに向けて立ち上がる立ち上がり部１０２ｄを持つように成形させて構成されており、その中央部１０２ａに軸体１０１の最大径よりも穴径を大きくさせた前記通し穴１０２ｂを有すると共に、この立ち上がり部１０２ｄの突き出し側を軸体１０１の軸一端部１０１ｃ側に向けた状態で、この通し穴１０２ｂに軸体１０１を通してこの軸体１０１に組み合わされるようになっている。押さえ付け部１０２ｃは、この押さえ付け部１０２ｃにある立ち上がり部１０２ｄの突き出し端１０２ｅをもってバタパイプ４００に接するようになっている。バタパイプ４００が丸パイプである場合には、図１に示されるように、押さえ付け部１０２ｃにある立ち上がり部１０２ｄの突き出し端１０２ｅは、この丸パイプの外郭形状に倣った円弧状の当接縁を持つように成形される。また、バタパイプ４００が角パイプである場合には、図９に示されるように、押さえ付け部１０２ｃにある立ち上がり部１０２ｄの突き出し端１０２ｅは、この角パイプの一面に押し付けられる真っ直ぐな当接縁を持つように成形される。かかる挟み付け体１０２は、型枠パネル３００を外側から支持するバタパイプ４００を、前記ナット体１０３の締め付けによって二カ所の押さえ付け部１０２ｃのそれぞれにおいてこのバタパイプ４００の外側から押さえ付け、このように押さえ付けられるバタパイプ４００は型枠パネル３００の外面に止着された桟木５００などに押し付けられ、型枠パネル３００が締め付けられる。典型的には、縦方向に延びる桟木５００に対し、横方向に延びるように配される二本のバタパイプ４００を、一つのフォームタイ１００を構成する挟み付け体１０２によって押さえ付けるようにして、打ち込み型枠が組み立てられる。
【００１４】
ナット体１０３は、軸体１０１に形成された雄ネジ部１０１ｅにネジ付けられて挟み付け体１０２を軸体１０１の軸他端部１０１ｄ側から締め込むように構成されている。図示の例では、かかるナット体１０３は六角ナット状をなすように構成されている。軸体１０１には、その軸他端部１０１ｄから軸体１０１の長さの約３分の２の範囲に亘って雄ネジ部１０１ｅが形成されており、ナット体１０３はこの軸体１０１の軸他端部１０１ｄ側から軸体１０１の軸線方向に沿った螺進退可能にネジ付けられている。そして、このナット体１０３に先だって軸体１０１に前記のように組み合わされた挟み付け体１０２を、ナット体１０３の螺進によって締め込み、この締め込みによって挟み付け体１０２によってバタパイプ４００が前記のように押さえ付けられるようになっている。
【００１５】
緩み止め具１は、頭部１０と、一対の弾性脚部１１、１１とを有している。
【００１６】
かかる頭部１０には貫通穴１０ａが形成してある。この貫通穴１０ａは、ナット体１０３の外郭形状に倣った穴形状を有し、かつ、ナット体１０３を納め入れる大きさを持つように構成されている。図示の例にあっては、かかる頭部１０は円盤状をなすように構成されている。それと共に、この頭部１０の中央部１０２ａに、穴の内面輪郭形状を、六角ナット状をなす前記ナット体１０３の外郭形状に倣った六角形状とした貫通穴１０ａが形成されている。図示の例では、ナット体１０３の外径とこの貫通穴１０ａの穴径とがほぼ等しいか、貫通穴１０ａの穴径の方がやや大きくなるように構成されている。
【００１７】
一対の弾性脚部１１、１１の内面１１ａ間には、挟み付け体１０２の中央部１０２ａが納まる間隔が形成してある。図示の例にあっては、一対の弾性脚部１１、１１は、前記頭部１０の一面側において、この一面側から突き出すように形成されていると共に、この頭部１０における直径方向両側にそれぞれ設けられている。一対の弾性脚部１１、１１の間に前記貫通穴１０ａが位置される。また、図示の例にあっては、一対の弾性脚部１１、１１はそれぞれ、他方の弾性脚部１１に向き合わない側の面、つまり外面を、頭部１０の側面の湾曲に沿った湾曲面としていると共に、内面１１ａを平坦な面としており、一方の弾性脚部１１の内面１１ａと他方の弾性脚部１１の内面１１ａとはほぼ平行をなすようになっている。そして、この一対の弾性脚部１１、１１の内面１１ａ間の寸法が、挟み付け体１０２の中央部１０２ａにおける両立ち上がり部１０２ｄ、１０２ｄの外面間の寸法とほぼ等しいか、これよりやや大きくなるようにしてある。かかる弾性脚部１１は、頭部１０の直径方向に沿った一定の幅を有しており、その基部をおおむね中心とした弾性変形を生じさせるものの一定の剛性を備えている。
【００１８】
また、この一対の弾性脚部１１、１１にはそれぞれ、貫通穴１０ａにナット体１０３を納め入れさせた位置で挟み付け体１０２の中央部１０２ａにおける軸体１０１の軸一端部１０１ｃ側に向けられた縁部１０２ｆに弾発掛合される掛合爪１１ｂが形成されている。図示の例では、かかる掛合爪１１ｂは、弾性脚部１１の幅方向に亘る幅を備えると共に、弾性脚部１１の先端から内方に突き出す連接部１１ｃと、この連接部１１ｃの突き出し端から弾性脚部１１の基部の側に向けて突き出す爪部１１ｄとを有している。図示の例では、爪部１１ｄも弾性脚部１１の幅方向に亘る幅を備えている。また、かかる爪部１１ｄは、その突き出し端１０２ｅに近づくに連れて弾性脚部１１の内面１１ａに次第に近づくように傾斜状に突き出されている。そして、図示の例では、弾性脚部１１の突き出し側にある頭部１０の面と掛合爪１１ｂを構成する連接部１１ｃにおけるこの頭部１０の面に向けられた面との間の寸法が、挟み付け体１０２の中央部１０２ａにおける立ち上がり部１０２ｄの突き出し端１０２ｅ、つまり、前記縁部１０２ｆとこの中央部１０２ａにおけるナット体１０３の座面となる外面１０２ｇとの間の寸法とほぼ等しくなるようにしてある。
【００１９】
フォームタイ１００を構成するナット体１０３を締め込んで挟み付け体１０２をバタパイプ４００に押し付けさせこのバタパイプ４００を介してコンクリート打ち込み型枠を構成する型枠パネル３００を締め付けた後、フォームタイ１００を構成する軸体１０１の軸他端部１０１ｄ側から緩み止め具１の頭部１０の貫通穴１０ａに弾性脚部１１の突き出し側を先にしてこの軸体１０１を通し、この貫通穴１０ａにナット体１０３を入れ込ませるようにすると、一対の弾性脚部１１、１１は掛合爪１１ｂを挟み付け体１０２の中央部１０２ａの側面、つまり、立ち上がり部１０２ｃの外面に接しさせながら外広がり状に一旦弾性変形されると共に、この掛合爪１１ｂが挟み付け体１０２の中央部１０２ａにおける軸体１０１の軸一端部１０１ｃ側に向けられた縁部１０２ｆより前方に入り込んだ位置で弾性復帰され、挟み付け体１０２の中央部１０２ａの両側面側においてそれぞれかかる掛合爪１１ｂを前記縁部１０２ｆに弾発掛合させる。緩み止め具１の頭部１０に形成された貫通穴１０ａはナット体１０３の外郭形状に倣った穴形状を有しており、かつ、緩み止め具１は弾性脚部１１の掛合爪１１ｂを前記のように挟み付け体１０２の中央部１０２ａに掛合させることから、ナット体１０３はフォームタイ１００を構成する軸体１０１の軸他端部１０１ｄ側に螺退されることはなく、ナット体１０３の緩み出し、つまり、フォーム体によるバタパイプ４００を介した型枠パネル３００の締め付け状態を、打ち込んだコンクリートを型枠内に行き渡らせるためにこの型枠に振動を作用させる間において、生じさせることがないようにできる。
【００２０】
図示の例にあっては、掛合爪１１ｂの連接部１１ｃが挟み付け体１０２の立ち上がり部１０２ｄの突き出し端１０２ｅに接し、かつ、掛合爪１１ｂの爪部１１ｄがこの立ち上がり部１０２ｄの内面に押し当てられるようにして、挟み付け体１０２に緩み止め具１が掛合されるようになっている。
【００２１】
かかる緩み止め具１を構成する弾性脚部１１に所用の弾性変形特性を付与することは、典型的には、かかる緩み止め具１をプラスチック成形によって形成させることで容易に確保させることができる。
【図面の簡単な説明】
【００２２】
【図１】緩み止め具１の装着直前の状態を示した側面図
【図２】緩み止め具１の使用状態を示した側面図
【図３】図２におけるＡ−Ａ線断面図
【図４】緩み止め具１の正面図
【図５】同右側面図
【図６】同平面図
【図７】同底面図
【図８】緩み止め具１および型枠構成部材の分離斜視図
【図９】緩み止め具１の使用状態を示した側面構成図
【符号の説明】
【００２３】
１００  フォームタイ
１０１  軸体
１０１ｃ  軸一端部
１０１ｄ  軸他端部
１０２  挟み付け体
１０２ａ  中央部
１０２ｂ  通し穴
１０２ｃ  押さえ付け部
１０２ｆ  縁部
１０３  ナット体
２００  セパレータ
４００  バタパイプ
１  緩み止め具
１０  頭部
１０ａ  貫通穴
１１  弾性脚部
１１ｂ  掛合爪
【図１】
2005155280.tif 000003
【図２】
2005155280.tif 000004
【図３】
2005155280.tif 000005
【図４】
2005155280.tif 000006
【図５】
2005155280.tif 000007
【図６】
2005155280.tif 000008
【図７】
2005155280.tif 000009
【図８】
2005155280.tif 000010
【図９】
2005155280.tif 000011